(57)【要約】【課題】この発明は利用者が利用し易い位置にトイレットペーパを保持することができるようにした便器付き着座補助装置を提供することにある。【解決手段】一対の側体３を有し、これら側体が所定間隔で連結された本体１と、一対の側体の前端部に前後方向の前端部が回動可能に連結された着座体６と、着座体を前端部を支点として後端部が上昇する方向に駆動するガススプリング１５と、一対の側体間の空間部に出し入れ可能に設けられる便器２１と、着座体の幅方向両側にそれぞれ支持部材１２を介して設けられた肘掛け体１３と、支持部材の上記本体の前方、後方及び幅方向外方に対応する三箇所のうちの少なくとも二箇所に設けられたねじ孔２４と、複数のねじ孔の１つに基端部が着脱可能に取り付けられるロール状のトイレットペーパ２７を保持するための軸状部材２５とを具備する。【選択図】図１
2005143817.tif 000002
【特許請求の範囲】
【請求項１】
一対の側体を有し、これら側体が所定間隔で連結された本体と、
一対の側体の前端部に前後方向の前端部が回動可能に連結された着座体と、
この着座体を前端部を支点として後端部が上昇する方向に駆動する駆動手段と、
一対の側体間の空間部に出し入れ可能に設けられる便器と、
上記着座体の幅方向両側にそれぞれ支持部材を介して設けられた肘掛け体と、
上記支持部材の上記本体の前方、後方及び幅方向外方に対応する三箇所のうちの少なくとも二箇所に設けられた取付け部と、
複数の取付け部の１つに基端部が着脱可能に取り付けられるロール状のトイレットペーパを保持するための軸状部材と
を具備したことを特徴とする便器付き着座補助装置。
【請求項２】
上記軸状部材の先端部には上記トイレットペーパが上記軸状部材をスライドして落下するのを阻止する係止部が設けられていることを特徴とする請求項１記載の便器付き着座補助装置。
【発明の詳細な説明】
【技術分野】
【０００１】
この発明は足腰の筋力が低下した利用者が使用するのに好適する便器付き着座補助装置に関する。
【背景技術】
【０００２】
足腰の筋力が弱っている利用者が排泄する場合、便器の便座に座ったり、立ち上がることは容易でなく、介助者の介助が必要なことがある。しかしながら、介助者が足腰の筋力が弱っている利用者を椅子から立ち上がらせたり、座らせる場合、介助者に掛かる負担が大きくなる。そのため、介助者に掛かる負担を軽減することができる便器付き着座補助装置の開発が望まれている。
【０００３】
通常、便器付き着座補助装置は箱形状の本体を有し、この本体内には便器が着脱可能に収容されている。上記本体には利用者が着座するための着座体が便器の上方に設けられている。この着座体は上記本体に前端を回動可能に連結して設けられた便座と、この便座に対して後端が回動可能に連結されたカバー部材とからなる。利用者は便器を使用するときにはカバー部材を回動上昇させて便座に着座し、椅子として利用するときにはカバー部材を倒伏させてこの上に着座するようにしている。
【０００４】
利用者がほぼ水平に倒伏した上記着座体に着座するとき、利用者は臀部を着座体の高さ位置まで深く降ろさなければならない。そのため、その動作は足腰に大きな負担を掛けることになる。
【０００５】
また、利用者が立ち上がるときには、着座体に深く降ろした臀部を上げなければならず、しかも脚部を曲げた状態から伸ばさなければならないから、座るとき以上に大きな負担となる。
【０００６】
そこで、上記着座体の後端部と上記本体との間にガススプリングを圧縮状態で設ける。それによって、上記ガススプリングを作動させて伸張させれば、上記着座体は前端部を支点として後端部が上昇する方向に回動するから、利用者はガススプリングの付勢力によって比較的容易に立ち上がることができる。
【０００７】
一方、座るときには着座体を予め回動上昇させておき、その着座体に臀部を当てた後、臀部を降ろしながら着座体をガススプリングの付勢力に抗して倒伏方向に回動させる。それによって、利用者は臀部を深く降ろすことなく着座体に当て、この着座体とともにガススプリングの付勢力に抗して緩やかに降ろすことができるから、比較的容易に座ることが可能となる。
【０００８】
上記着座体の両側には肘かけ体を設けるようにしている。そして、利用者は肘かけ体に手を掛けて立ち上がったり、座るようにすることで、その動作を安定した状態で容易に行なうことができるようにしている。
【発明の開示】
【発明が解決しようとする課題】
【０００９】
ところで、上記構成の便器付き着座装置は利用者が寝起きする室内などに置かれることが多く、トイレに置かれるということはほとんどない。トイレにはトイレットペーパを保持するホルダが設けられているから、トイレットペーパも利用することができる。しかしながら、室内などにはトイレのようにトイレットペーパのホルダが設けられていないから、トイレットペーパを利用できないという不便がある。
【００１０】
そのような不便を解消するために、着座装置の本体にトイレットペーパを設けることが考えられている。しかしながら、着座装置の本体の決められた位置にトイレットペーパのホルダを固定して設けるようにしたのでは、利用者にとっては使い難いということがあったり、不使用時には邪魔になるということがある。
【００１１】
この発明は、着座装置の本体の利用者が使い易い位置にトイレットペーパを保持することができるようにするとともに、不使用時には取り外すことができるようにした便器付き着座補助装置を提供することにある。
【課題を解決するための手段】
【００１２】
この発明は、一対の側体を有し、これら側体が所定間隔で連結された本体と、
一対の側体の前端部に前後方向の前端部が回動可能に連結された着座体と、
この着座体を前端部を支点として後端部が上昇する方向に駆動する駆動手段と、
一対の側体間の空間部に出し入れ可能に設けられる便器と、
上記着座体の幅方向両側にそれぞれ支持部材を介して設けられた肘掛け体と、
上記支持部材の上記本体の前方、後方及び幅方向外方に対応する三箇所のうちの少なくとも二箇所に設けられた取付け部と、
複数の取付け部の１つに基端部が着脱可能に取り付けられるロール状のトイレットペーパを保持するための軸状部材と
を具備したことを特徴とする便器付き着座補助装置にある。
【００１３】
上記軸状部材の先端部には上記トイレットペーパが上記軸状部材をスライドして落下するのを阻止する係止部が設けられていることが好ましい。
【発明の効果】
【００１４】
この発明によれば、ロール状のトイレットペーパを保持する軸状部材を、複数の取付け部のいずれかに着脱可能に取り付けることができるようにしたから、利用者の使い易い位置に上記軸状部材を取り付けることができるから便利であり、しかも不使用時には軸状部材を取り外すことで、邪魔になることがない。
【発明を実施するための最良の形態】
【００１５】
以下、この発明の実施の形態を図面を参照して説明する。
【００１６】
図１と図２に示すこの発明の便器付き着座補助装置は本体１を備えている。この本体１は側面形状がＬ字状で、下端には前後方向に沿って脚部材２が設けられた一対の側体３を有する。一対の側体３所定間隔で平行に連結されている。上記脚部材２の後端にはローラ４が設けられ、本体１の前端側を上げることで、上記ローラ４によって本体１を移動させることができるようになっている。
【００１７】
一対の側体３間には着座体６が設けられているとともに、後端部の上方へ立ち上がって部分には背凭れ７が架設されている。図３（ａ），（ｂ）に示すように、上記着座体６は便座８を有し、この便座８の前端部下面には第１のブラケット９が設けられている。この第１のブラケット９は上記一対の側体３の前端部に支軸１０によって回動可能に支持されている。
【００１８】
上記便座８の上面側には着座用のカバー部材１１が後端を上記便座８の後端に回動可能に連結して設けられている。便座８の幅方向両側にはそれぞれ支持部材１２が設けられている。各支持部材１２の上端にはそれぞれ肘掛け体１３が本体１の前後方向に沿って設けられている。
【００１９】
上記便座８の後端部下面には第２のブラケット１４が設けられている。この第２のブラケット１４には駆動手段としてのガススプリング１５のロッド側の一端が回動可能に連結されている。このガススプリング１５の他端は側体３の前端側の下部に設けられた第３のブラケット１６に枢着されている。
【００２０】
一方の肘掛け体１３、つまり利用者が着座体６に着座したときの右側の肘掛け体１３の先端部下面には上記ガススプリング１５を作動させるための操作レバー１７が設けられている。この操作レバー１７を操作することで、ガススプリング１５は伸長方向に作動する。それによって、着座体６は図３（ｂ）に示すように支軸１０を支点として後端側が上昇する方向に回動する。上昇した着座体６に、操作レバー１７を操作した状態で倒伏方向の荷重を加えれば、この着座体６をガススプリング１５の付勢力に抗して倒伏させることができる。
【００２１】
上記本体１の一対の側体３間は空間部１８に形成されている。この空間部１８には底板１９が水平に架設されている。この底板１９上には便器２１が本体１の開放した後端から出し入れ可能に載置される。
【００２２】
上記着座体６を倒伏させた状態で、この着座体６のカバー部材１１を本体１の後端側に回動させれば、便座８を露出させることができる。したがって、利用者が便座８に着座すれば、この便座８の下方に位置する便器２１を利用することができる。
【００２３】
図１と図２に示すように、肘掛け体１３を便座８に取り付けた一対の支持部材１２の上部は、他の部分よりも厚肉で、しかも幅寸法が大きな連結部２３に形成されている。本体の左右両側に位置する、一対の肘掛け体１３を便座８に取り付けた支持部材１２の連結部２３には、図６と図７に示すように本体１の前方を向いた前端面、後方を向いた後端面及び幅方向外方を向いた外面のそれぞれに取付け部としてのねじ孔２４が形成されている。
【００２４】
左側の連結部２３に形成された３つのねじ孔２４の１つには、図５に示す軸状部材２５が基端部に形成されたおねじ部２６を螺合させることで、着脱可能に取り付けられている。この軸状部材２５にはロール状のトイレットペーパ２７が保持される。軸状部材２５の先端には、係止部としてトイレットペーパ２７の内径寸法よりも大径な円盤状の鍔部２８が形成されている。それによって、トイレットペーパ２７は軸状部材２５から脱落するのが阻止されている。なお、係止部は鍔部２８に代わり、軸状部材２５の先端部にピンなどを突設してもよく、要はトイレットペーパ２７が軸状部材２５をスライドして落下するのを防止できればよい。
【００２５】
図１では上記軸状部材２５を連結部２３の前端側のねじ孔２４に取り付けている。図２は連結部２３の前端に取り付けた軸状部材２５にトイレットペーパ２７を保持した状態を示している。図６は軸状部材２５を左側の連結部２３の後端側のねじ孔２４に取り付けた状態を示しており、図７は同じく左側の連結部２３の外側の面に取り付けた状態を示している。
【００２６】
なお、図示しないが、右側の連結部２３の３つのねじ孔２４の１つの軸状部材２５を取り付けてトイレットペーパ２７を保持するようにしてもよい。
【００２７】
このように、着座体６の左右に設けられた一対の支持部材１２の連結部２３の三方向にそれぞれねじ孔２４を形成し、各ねじ孔２４のいずれかに軸状部材２５を着脱可能に取り付けることができるようにした。
【００２８】
そのため、利用者が着座体６の便座８に着座して便器２１を利用する場合、利用者が利用し易い位置にトイレットペーパ２７が位置するよう、このトイレットペーパ２７を保持する軸状部材２５を設けることができるから、非常に便利である。
【００２９】
しかも、軸状部材２５の先端には係止部として他の部分よりも大径な鍔部２８が形成されている。そのため、軸状部材２５に保持されたトイレットペーパ２７は、この鍔部２８に係合するため、軸状部材２５を軸方向にスライドして脱落するのが防止される。
【００３０】
上記軸状部材２５はねじ孔２４に対して着脱可能に取り付けられている。そのため、便器２１を所定期間にわたって使用しないような場合などには軸状部材２５を取り外すことで、邪魔になることがない。
【００３１】
この発明は上記一実施の形態に限定されるものでなく、発明の要旨を逸脱しない範囲で種々変形可能である。たとえば、軸状部材を支持部材に着脱可能に取り付ける手段として、軸状部材の基端部におねじを形成し、支持部材には取付け部としてのねじ孔を形成したが、支持部材にはねじ孔に代わり、軸状部材の基端部が所定の抵抗をもって着脱可能に装着できる取付け孔を形成することで、この軸状部材を支持部材に着脱可能に取り付けるようにしてもよい。  
上記支持部材には３つのねじ孔（取付け部）を設け、軸状部材の取付け方向を３つのうちから選択できるようにしたが、上記取付け部は２つであっても差し支えない。
【図面の簡単な説明】
【００３２】
【図１】この発明の一実施の形態を示す着座補助装置の斜視図。
【図２】着座補助装置の軸状部材にトイレットペーパを保持した斜視図。
【図３】（ａ）は着座体が水平に倒伏した状態を示す説明図、（ｂ）は着座体を回動上昇させた状体の説明図。
【図４】軸状部材にトイレットペーパを保持した状態で着座体を上昇させた状態の斜視図。
【図５】軸状部材の平面図。
【図６】支持部材の後方の端面にトイレットペーパを設けた状態を示す着座補助装置の斜視図。
【図７】支持部材の幅方向外側の面にトイレットペーパを設けた状態を示す着座補助装置の斜視図。
【符号の説明】
【００３３】
１…本体、３…側体、６…着座体、１２…支持部材、…肘掛け体、１５…ガススプリング（駆動手段）、２１…便器、１２…支持部材、２４…ねじ孔（取付け部）、２５…軸状部材、２７…トイレットペーパ、２８…鍔部（係止部）。
【図１】
2005143817.tif 000003
【図２】
2005143817.tif 000004
【図３】
2005143817.tif 000005
【図４】
2005143817.tif 000006
【図５】
2005143817.tif 000007
【図６】
2005143817.tif 000008
【図７】
2005143817.tif 000009